(57)【要約】【課題】点灯装置の温度の上昇を防止でき、かつ、小型化を図った照明器具を得る。【解決手段】反射セード２の上部に取り付けられた本体ケース３の内部に点灯装置５を収納し、本体ケース３の下面６ａの少なくとも一部を露出させるくびれ部１２を形成する。本体ケース３の下面６ａ側から本体ケース３の内部に外気を取り込むための吸気孔１３を設け、本体ケース３の内部の空気を排出するための排気孔１１を本体ケース３に形成する。これにより、本体ケース３の内部に対する空気の出入りが促進される。よって、本体ケース３の内部の熱を放出するために本体ケース３の高さを高くして本体ケース３の内部空間を拡大するとともに多数の放熱孔を設ける必要が無い。【選択図】　　図１
2004055398.tif 000002
【特許請求の範囲】
【請求項１】
下部に開口が形成された反射セードと；
前記反射セードの上部に取り付けられた本体ケースと；
前記本体ケースの下面の少なくとも一部を露出させるように前記反射セードと前記本体ケースとの間に形成されたくびれ部と；
前記本体ケースの前記下面側から前記本体ケースの内部に外気を取り込むための吸気孔と；
前記本体ケースに形成され前記本体ケースの内部の空気を外部に排出するための排気孔と；
前記本体ケースの内部に収納された点灯装置と；
前記点灯装置に接続されたソケットと；
前記ソケットに取り付けられ、前記反射セードの内側に配置され前記点灯装置によって点灯を制御されるランプと；
を備える照明器具。
【請求項２】
前記反射セードの内側の前記ランプが配置された空間と前記本体ケースの内部の前記点灯装置が配置された空間とを仕切る仕切壁と；
前記ランプが配置された空間と前記点灯装置が配置された空間との間に設けられ、前記点灯装置が配置された空間への前記ランプから発生する熱の伝達を遮断する断熱部を備える請求項１記載の照明器具。
【発明の詳細な説明】
【０００１】
【発明の属する技術分野】本発明は、天井面などに吊り下げ方式で取り付けられる照明器具に関する。
【０００２】
【従来の技術】この種の照明器具として、従来、図３に示すように、図示しない点灯装置などを収納した本体ケース１００と、本体ケース１００の下側に連結されて図示しないランプを収納した反射セード１０１とを有し、天井面に吊り下げ方式で取り付けられる照明器具１０２が知られている。
【０００３】
このように本体ケース１００の内部に点灯装置が収納された照明器具１０２においては、点灯装置から発生した熱が本体ケース１００の内部にとどまることによる点灯装置の耐久性の低下を防止するために、本体ケース１００の内部の熱を外部に放出するための複数のスリット状の放熱孔１０３が本体ケース１００の側壁に形成されている。本体ケース１００の内部で加熱された空気は本体ケース１００上部の放熱孔１０３から外部へ流れ出し、同時に、本体ケース１００下部の放熱孔１０３から外気が本体ケース１００の内部に流れ込む。このような空気の流れにより、本体ケース１００の内部が冷却される。
【０００４】
【発明が解決しようとする課題】しかし、このように本体ケース１００の側壁に形成された放熱孔１０３では、その放熱孔１０３から本体ケース１００の内部に流れ込む外気の流れ方向が水平方向となってしまい、外気が本体ケース１００の内部に流れ込みにくく、これにより、空気の流れが促進されず、本体ケース１００の内部の冷却効果が低いという問題がある。
【０００５】
このような問題を解決するために、本体ケース１００の高さを高くして本体ケース１００の内部空間を拡大するとともに放熱孔１０３の数を増やして空気の流れを促進し、本体ケース１００からより熱を放出できるようにしている照明器具がある。しかしながら、この場合には、放熱のために本体ケース１００の高さを高くすることにより、照明器具１０２が大型になってしまうという問題が生じてしまう。
【０００６】
また、点灯装置は本体ケース１００の中心部に配置されているが、放熱孔１０３が本体ケース１００の側壁に形成されていることにより、放熱孔１０３から本体ケース１００の内部に流れ込んだ外気が本体ケース１００の側壁の内面に沿って上昇しやすいため外気が点灯装置に直接当たりにくく、これにより、外気による点灯装置に対する冷却効果が低いという問題がある。
【０００７】
また、従来の点灯装置では、反射セード１０１の内側に収納されたランプから発生した熱も反射セード１０１の上部に位置する本体ケース１００に伝わることがあり、放熱孔１０３で十分な冷却効果が得られない場合には、本体ケース１００の内部に収納された点灯装置がランプから発生した熱によっても加熱されてしまい、点灯装置の耐久性が低下してしまうという問題がある。
【０００８】
本発明の目的は、点灯装置の温度の上昇を防止でき、かつ、小型化を図った照明器具を得ることである。
【０００９】
本発明の目的は、点灯装置へのランプからの熱の伝達を防止することのできる照明器具を得ることである。
【００１０】
【課題を解決するための手段】請求項１記載の発明の照明器具は、下部に開口が形成された反射セードと；前記反射セードの上部に取り付けられた本体ケースと；前記本体ケースの下面の少なくとも一部を露出させるように前記反射セードと前記本体ケースとの間に形成されたくびれ部と；前記本体ケースの前記下面側から前記本体ケースの内部に外気を取り込むための吸気孔と；前記本体ケースに形成され前記本体ケースの内部の空気を外部に排出するための排気孔と；前記本体ケースの内部に収納された点灯装置と；前記点灯装置に接続されたソケットと；前記ソケットに取り付けられ、前記反射セードの内側に配置され前記点灯装置によって点灯を制御されるランプと；を備える。
【００１１】
ここで、排気孔は、本体ケースの上壁に形成されていてもよく、又は、本体ケースの側壁に形成されていてもよく、本体ケースの内部の空気を外部に排出するものであればよい。
【００１２】
したがって、本体ケースの内部で点灯装置により空気が加熱された際には、その加熱された空気が排気孔より本体ケースの外部に流れ出し、同時に、吸気孔から本体ケースの内部の空気よりも冷たい外気が本体ケースの内部に流れ込むという空気の流れが生じる。このとき、吸気孔から本体ケースの内部に流れ込む外気の流れの方向が上向きとなるので、吸気孔から外気が流れ込みやすくなっており、これにより、前述した空気の流れが促進され、本体ケースの内部に収納された点灯装置が冷却される。
【００１３】
請求項２記載の発明は、請求項１記載の照明器具において、前記反射セードの内側の前記ランプが配置された空間と前記本体ケースの内部の前記点灯装置が配置された空間とを仕切る仕切壁と；前記ランプが配置された空間と前記点灯装置が配置された空間との間に設けられ、前記点灯装置が配置された空間への前記ランプから発生する熱の伝達を遮断する断熱部を備える。
【００１４】
ここで、仕切壁とは、本体ケースの下壁として形成されたものでもよく、又は、反射セードの上壁として形成されたものでもよい。
【００１５】
また、断熱部は、空気層により構成されていてもよいし、断熱性を有する断熱材により構成されていてもよい。断熱部として空気層を用いる場合には、空気層を多層にすることにより、それらの多層の空気層の空気の体積と同じ体積の空気からなる一層の空気層よりも断熱性が増加する。よって、同じ断熱性を持たせるのに、空気層を多層にした方が断熱部の小型化を図ることができる。
【００１６】
したがって、反射セードの内側のランプが配置された空間と本体ケースの内部の点灯装置が配置された空間とが仕切壁により仕切られているので、反射セードの内側でランプの熱により加熱された空気が本体ケースの内部に流れ込むことが防止され、また、点灯装置が配置された空間へのランプから発生する熱の伝達が断熱部により遮断されるので、ランプから発生した熱が点灯装置へ伝達することが防止される。
【００１７】
【発明の実施の形態】本発明の一実施の形態を図１及び図２に基づいて説明する。図１は本実施の形態の照明器具を示す縦断側面図、図２は本体ケースの内部における点灯装置の配置状態を示す水平断面図である。
【００１８】
本実施の形態の照明器具１は、反射セード２、本体ケース３、複数のランプ４及び複数の点灯装置５を備えている。
【００１９】
反射セード２は、下部に開口を有する椀形状に形成されており、その内周面は光を反射するのに好適な白色に塗装されている。この反射セード２の内側には、ランプ４を収納する空間が形成されている。
【００２０】
本体ケース３は、反射セード２の上部に連結されたケース部材であり、その内部には、点灯装置５を収納する空間が形成されている。本体ケース３の下部には、第１の仕切壁である下壁６と、この下壁６の下側に取り付けられた反射セード連結部７とが設けられている。本体ケース３の上壁８には、天井面などへ吊り下げるための吊り下げ部材９が取り付けられている。本体ケース３の側壁１０には、横長スリット状の排気孔１１が多数形成されている。
【００２１】
本体ケース３の下壁６と反射セード連結部７との結合部には、くびれ部１２が形成されている。このくびれ部１２により、本体ケース３の下壁６の下面６ａの外周部が露出する。下壁６には、下面６ａ側から本体ケース３の内部に外気を取り込むための円形状の吸気孔１３が露出した下面６ａを貫通して多数形成されている。
【００２２】
反射セード連結部７には、第２の仕切壁である第１の板部材１４と、第３の仕切壁である第２の板部材１５と、第４の仕切壁である第３の板部材１６とが設けられている。これらの第１〜第３の板部材１４，１５，１６及び下壁６により反射セード２の内側のランプ４を収納する空間と本体ケース３の内部の点灯装置５を収納する空間とが仕切られている。
【００２３】
第１の板部材１４と第２の板部材１５との間には、第１及び第２の板部材１４，１５に仕切られて第１の断熱部である第１の空気層１７が形成されている。第２の板部材１５と第３の板部材１６との間には、第２及び第３の板部材１５，１６に仕切られて第２の断熱部である第２の空気層１８が形成されている。これらの第１及び第２の空気層１７，１８により、反射セード２の内側のランプ４を収納する空間と本体ケース３の内部の点灯装置５を収納する空間との間での熱の伝達が遮断されている。
【００２４】
第３の板部材１６には、下向きに突出した４個のソケット１９が取り付けられている。第３の板部材１６には、反射セード固定金具２０が取り付けられている。第３の板部材１６への反射セード固定金具２０の取り付けは、ネジ２１にナット２２を螺号させることにより行なわれている。反射セード固定金具２０を第３の板部材１６に取り付ける際に、反射セード固定金具２０の外周側縁部と第２の板部材１５の外周側縁部に形成された受け部１５ａとで反射セード２の上端側縁部を挟持することにより、本体ケース３への反射セード２の連結が行なわれている。反射セード固定金具２０には、この反射セード固定金具２０が第３の板部材１６に取り付けられたときにソケット１９が貫通されるソケット１９の外形寸法よりも大径の孔２３が形成されている。
【００２５】
ランプ４は、ソケット１９に取り付けられ、反射セード２の内側に収納されている。
【００２６】
点灯装置５は、本体ケース３の下壁６の上面側に設けられた４角筒状の点灯装置固定金具２４の外周部に固定され本体ケース３の内部の中心部に収納されている。これらの点灯装置５は、ランプ４の点灯を制御する。
【００２７】
このような構成において、この照明器具１を天井面などに吊り下げて点灯させた場合、本体ケース３の内部においては、点灯装置５から熱が発生し、本体ケース３の内部が加熱される。これにより、本体ケース３では、加熱された空気が排気孔１１より本体ケース３の外部に流れ出し、同時に、吸気孔１３から本体ケース３の内部の空気よりも冷たい外気が本体ケース３の内部に流れ込むという空気の流れが生じる。ここで、図１には、このような空気の流れの一部を矢印で例示している。このとき、本体ケース３の下壁６に形成された吸気孔１３から本体ケース３の内部に流れ込む外気の流れの方向が上向きとなるので、吸気孔１３から外気が流れ込みやすくなっており、これにより、前述した空気の流れが促進され、本体ケース３の内部に収納された点灯装置５が本体ケース３の内部に流れ込んだ外気により十分に冷却される。
【００２８】
また、本実施の形態では、このように、本体ケース３に流れ込んだ外気により点灯装置５を十分に冷却することができるので、本体ケース３の内部の熱を放熱するために従来の照明器具のように本体ケース３の高さを高くして本体ケースの内部空間を拡大するとともに多数の放熱孔を設ける必要が無く、これにより、照明器具１が小型化される。
【００２９】
また、吸気孔１３が本体ケース３の下壁に形成されていることにより、吸気孔１３から本体ケース３の内部に流れ込む外気が本体ケース３の中心部に配置された点灯装置５に当たりやすくなっており、これにより、外気による点灯装置５に対する冷却効果が高まる。
【００３０】
また、この照明器具１を点灯させた場合、各ランプ４からも熱が発生する。このとき、仕切壁である下壁６及び第１〜第３の板部材１４，１５，１６により、反射セード２の内側のランプ４が配置された空間と本体ケース３の内部の点灯装置５が配置された空間とが仕切られているので、反射セード２の内側でランプ４の熱により加熱された空気が本体ケース３の内部に流れ込むことがなく、ランプ４の熱により加熱された空気による点灯装置５の加熱が防止される。
【００３１】
また、断熱部である第１及び第２の空気層１７，１８により、各ランプ４から発生した熱が本体ケース３の点灯装置５が配置された空間に伝わることが遮断されているので、各ランプ４から発生した熱により点灯装置５が加熱されることを防止することができる。また、空気層が２層であるので、この２層の空気層と同じ断熱性を持たせた１層の空気層を設けた場合に比べて断熱部を小型化することができる。
【００３２】
【発明の効果】請求項１記載の発明の照明器具によれば、下部に開口が形成された反射セードと；前記反射セードの上部に取り付けられた本体ケースと；前記本体ケースの下面の少なくとも一部を露出させるように前記反射セードと前記本体ケースとの間に形成されたくびれ部と；前記本体ケースの前記下面側から前記本体ケースの内部に外気を取り込むための吸気孔と；前記本体ケースに形成され前記本体ケースの内部の空気を外部に排出するための排気孔と；前記本体ケースの内部に収納された点灯装置と；前記点灯装置に接続されたソケットと；前記ソケットに取り付けられ、前記反射セードの内側に配置され前記点灯装置によって点灯を制御されるランプと；を備えることにより、本体ケースの内部で点灯装置により空気が加熱された際には、その加熱された空気が排気孔より本体ケースの外部に流れ出し、同時に、吸気孔から本体ケースの内部の空気よりも冷たい外気が本体ケースの内部に流れ込むという空気の流れが生じる。このとき、吸気孔から本体ケースの内部に流れ込む外気の流れの方向が上向きとなるので、吸気孔から外気が流れ込みやすくなっているので、前述した空気の流れを促進することができ、本体ケースの内部に収納された点灯装置に対する冷却効果を高めることができる。よって、点灯装置の温度の上昇を防止することができる。また、これにより、本体ケースの内部の熱を放熱するために従来の照明器具のように本体ケースの高さを高くして本体ケースの内部空間を拡大するとともに放熱孔を多数設ける必要が無く、照明器具の小型化を図ることができる。
【００３３】
請求項２記載の発明によれば、請求項１記載の照明器具において、前記反射セードの内側の前記ランプが配置された空間と前記本体ケースの内部の前記点灯装置が配置された空間とを仕切る仕切壁と；前記ランプが配置された空間と前記点灯装置が配置された空間との間に設けられ、前記点灯装置が配置された空間への前記ランプから発生する熱の伝達を遮断する断熱部を備えることにより、反射セードの内側でランプの熱により加熱された空気が本体ケースの内部に流れ込むことが仕切壁により防止され、また、点灯装置が配置された空間へのランプから発生する熱の伝達が断熱部により遮断されるので、ランプから発生した熱が点灯装置へ伝達することを防止することができる。
【図面の簡単な説明】
【図１】本発明の一実施の形態の照明器具を示す縦断側面図である。
【図２】本体ケースの内部における点灯装置の配置状態を示す水平断面図である。
【図３】従来の照明器具を示す側面図である。
【符号の説明】
１：照明器具、２：反射セード、３：本体ケース、４：ランプ、５：点灯装置、６：仕切壁、６ａ：下面、１１：排気孔、１２：くびれ部、１３：吸気孔、１４：仕切壁（第１の板部材）、１５：仕切壁（第２の板部材）、１６：仕切壁（第３の板部材）、１７：断熱部（第１の空気層）、１８：断熱部（第２の空気層）、１９：ソケット
【図１】
2004055398.tif 000003
【図２】
2004055398.tif 000004
【図３】
2004055398.tif 000005